(57)【特許請求の範囲】
【請求項１】
反応室内に配置した回路基板に対して該反応室内で発生させたプラズマ中のイオンにより上記回路基板の表面処理を行う基板表面処理方法であって、
上記回路基板を構成する成分が上記表面処理により当該回路基板から分離されたか否か、及び上記回路基板表面に付着している不純物が上記表面処理により除去されたか否かの少なくとも一方を検出し、
上記検出にて得た情報に基づいて、上記回路基板の構成成分の上記分離が生じたと判断したときには上記プラズマ中の上記イオンのエネルギーを低減させる制御を行い、上記不純物の除去が終了したと判断したときには当該表面処理を終了する制御を行い、
上記プラズマ中の上記イオンのエネルギーを低減させる制御は、上記反応室へ供給する電力を減少し、かつ上記反応室と真空ポンプとの間に設けられるバルブを閉じて、上記反応室内の圧力を上昇させることにより行う、ことを特徴とする基板表面処理方法。
【請求項２】
上記回路基板を構成する成分が上記表面処理により当該回路基板から分離されたか否か、及び上記回路基板表面に付着している不純物が表面処理により除去されたか否かの少なくとも一方を検出する方法として、発光分光分析を行う、請求項１記載の基板表面処理方法。
【請求項３】
上記イオンとしてアルゴンを用い、上記回路基板上の金電極表面の水酸化ニッケルを除去し清浄化する、請求項１又は２記載の基板表面処理方法。
【請求項４】
上記回路基板は、ガラスエポキシ材であり、検出不純物として検出する元素はＢｒである、請求項１から３のいずれか１項に記載の基板表面処理方法。
【請求項５】
上記回路基板は、ポリイミドフィルムであり、検出不純物として検出する元素はＣｌである、請求項１から３のいずれか１項に記載の基板表面処理方法。
【発明の詳細な説明】
【０００１】
【発明の属する技術分野】
本発明は、基板の表面の洗浄や改質などの処理をプラズマにて行う基板表面処理装置、及び該基板表面処理装置にて実行される基板表面処理方法に関する。
【０００２】
【従来の技術】
実装技術の分野において、電子機器の小型化及び高機能化に伴い高密度な実装が要求されている。そのため、基板への素子の接続は微細化され、より信頼性の高い実装が必要とされている。上記信頼性を確保する方法の一つとしてプラズマによる上記基板の表面の改質方法がある。例えば、プラズマ処理によって上記基板表面に付着した有機汚染物質を除去したり、あるいはプリント基板上の銅、ニッケル、金からなりボンディング接合面である電極面上に析出した水酸化ニッケルなどの無機物をアルゴンプラズマによるスパッタ作用で除去することにより、ワイヤーボンディングした場合における、金電極とワイヤとのボンディング強度を向上させることができる。又、ポリイミドフィルム基板上のリード電極へＡＣＦ（異方性導電フィルム）を介してＩＣを接合する場合も、ポリイミドフィルムとＡＣＦとの接合強度を高めるため、接合前にポリイミドフィルムに酸素プラズマを照射することにより、上記ポリイミドフィルム基板の表面が活性化され接合強度を向上させることができる。さらに又、基板に上記プラズマ処理を施すことにより、基板に対する封止樹脂の流動性を改善することができ基板と封止樹脂との密着性を向上することもできる。
【０００３】
図面を参照しながら、上述したプラズマ処理方法の例について以下に説明する。
図３は、従来の実装基板表面処理装置２０の概略構成を示すものである。１は反応室であり、ガス導入口２と真空排気口３を備え、又、接地されている。反応室１内には、反応室１の側壁との間に絶縁リング４を介して高周波電極５が配設され、該高周波電極５上に実装基板６が載置可能に構成されている。又、反応室１内には、高周波電極５に対向するとともに接地された対向電極７が配設されている。高周波電極５には、マッチングチューナー（図示せず）、高周波電力供給部を通して高周波電源８にて高周波を印加するように構成されている。高周波電極５と絶縁リング４、及び絶縁リング４と反応室１の側壁とのそれぞれの間にはＯリング（図示せず）が介装され、反応室１の真空を維持し、かつ上記Ｏリングが２００℃以上に加熱されないように冷却水を流す冷却溝９が反応室１の側壁内に設けられている。
【０００４】
以上のように構成された実装基板表面処理装置２０を用いて行われる、実装基板の表面処理方法について、ワイヤーボンディング前の基板に対してアルゴンガスを用いた場合を例に採り、以下に説明する。
高周波電極５上には上記ワイヤーボンディング前の基板６が載置されており、ガス導入口２からアルゴンガスを５０ＳＣＣＭ流しながら、反応室１内の真空度を３０Ｐａに保った状態で、高周波電極５に２００Ｗの高周波を印加し、プラズマを発生させる。プラズマ中にさらされた基板６面上には、プラズマ中にあるアルゴンイオンが照射される。基板６の材質はガラスエポキシで、図４に示すように、基板６の表面に形成されている電極１０は、膜厚３５μｍにてなる銅１１、膜厚３μｍにてなるニッケル１２、膜厚０．０５μｍにてなる金１３の３層にて構成されており、熱工程などを経ることにより金１３の表面上に、下地のニッケル１２が移動して水酸化ニッケルなどが析出している。この水酸化ニッケルがアルゴンイオンの照射によりスパッタ除去され、金１３の表面は清浄化される。
【０００５】
図５は、ポリイミドフィルム基板１４へＡＣＦ（異方性導電フィルム）１５を介してシリコンチップのＩＣ１６を接合する場合の概略説明図である。図５に示すようにポリイミドフィルム基板１４上の電極１７部に、導電粒子を含有した樹脂からなるＡＣＦ１５を介してＩＣ１６の電極１８が接合される。このような構成を有するポリイミドフィルム基板１４の場合の表面処理方法について以下に説明する。
高周波電極５上には上記ポリイミドフィルム基板１４が載置されており、ガス導入口２から酸素ガスを５０ＳＣＣＭ流しながら、反応室１内の真空度を３０Ｐａに保った状態で、高周波電極５に２００Ｗの高周波を印加することで、プラズマを発生させる。プラズマ中にさらされたポリイミドフィルム基板１４の表面上には、プラズマ中にある酸素ラジカルあるいは酸素イオンが照射される。酸素ラジカルは、ポリイミドフィルム基板１４上に付着した汚染有機物と反応し、該汚染有機物は、分解されＣＯ２などの昇華性化合物となって除去される。又、ポリイミドフィルム基板１４の表面上には、Ｃ＝ＯやＣＯＯＨなどの官能基が生成され、上記表面が活性化される。よってＡＣＦ１５との接合強度を向上させることができる。
【０００６】
又、ポリイミドフィルム基板１４の場合、入荷した段階で既に塩素などのイオンが残留している場合がある。この原因は、ポリイミドフィルム基板１４上への電極１７パターンの形成は、メッキ法によりパターン形成され、メッキ液の成分の一つに塩酸が使用されるからである。そのため、上記パターン形成後の水洗浄が不足した場合、例えば塩素イオンが残留することになる。イオンが残留したポリイミドフィルム基板１４にＡＣＦ１５を用いてＩＣ１６を接続した場合、この残留イオンが腐食の原因となり、イオンマイグレーションなどの電気的不良の原因となる。この塩素イオンを除去するためにプラズマ処理が行われる。
【０００７】
【発明が解決しようとする課題】
しかしながら、ワイヤーボンディング前の基板６にプラズマ処理を施した場合、アルゴンイオンにより基板６も同時にスパッタされるため、基板６の材質がガラスエポキシである場合、基板６内に含まれるＢｒ（臭素）が分離された後、基板６に再付着する。基板６上の電極１０にＢｒが付着した場合、該基板６が大気中にさらされると、電極１０に付着したＢｒが空気中の水分と反応して、ＨＯＢｒやＨＢｒになり、これが電極１０の腐食の原因となるという問題点を有していた。
【０００８】
又、ポリイミドフィルム基板１４に付着した残留イオンを除去するためにプラズマ処理を施した場合、残留イオンが除去できたかどうか観測する手段がないため、上記残留イオンを完全に除去する目的から、過剰なプラズマ処理が施されポリイミドフィルム基板１４にまでダメージを与えてしまうという問題点を有していた。
【０００９】
本発明は、このような問題点を解決するためになされたもので、基板に対する過剰なプラズマ処理を防止して基板の品質を維持することができる、基板表面処理装置及び方法を提供することを目的とする。
【００１０】
【課題を解決するための手段】
上記目的を達成するために本発明は以下のように構成する。
本発明の第１態様の基板表面処理装置によれば、反応室内に配置した基板に対して該反応室内で発生させたプラズマ中のイオンにより上記基板の表面処理を行う基板表面処理装置であって、
上記反応室に取り付けられ、上記基板を構成する成分が上記表面処理により当該基板から分離されたか否か、及び上記基板表面に付着している不純物が上記表面処理により除去されたか否かの少なくとも一方を検出する検出装置と、
上記検出装置による検出情報に基づいて、上記基板構成成分の上記分離が生じたときには上記プラズマ中の上記イオンのエネルギーを低減させる制御を行い、上記不純物の除去が終了したときには当該表面処理を終了する制御を行う制御装置と、
を備えたことを特徴とする。
【００１１】
又、上記反応室内に設けられ上記プラズマを発生させる電極、及び該電極へ電力を供給する電力供給装置を有するプラズマ発生装置と、上記反応室に接続され該反応室内の真空度を調整する真空度調整装置と、をさらに備え、上記制御装置は、上記検出装置による検出情報に基づいて上記電力供給装置及び上記真空度調整装置の動作制御を行い上記イオンのエネルギー低減制御及び上記表面処理終了制御を行うように構成することもできる。
【００１２】
又、上記検出装置は、上記プラズマが発する光の分光を行い上記基板構成成分及び上記不純物の検出を行う分光分析器、又は上記反応室内の気体元素の分析を行い上記基板構成成分及び上記不純物の検出を行う質量分析器にて構成することができる。
【００１３】
本発明の第２態様の基板表面処理方法によれば、反応室内に配置した回路基板に対して該反応室内で発生させたプラズマ中のイオンにより上記回路基板の表面処理を行う基板表面処理方法であって、
上記回路基板を構成する成分が上記表面処理により当該回路基板から分離されたか否か、及び上記回路基板表面に付着している不純物が上記表面処理により除去されたか否かの少なくとも一方を検出し、
上記検出にて得た情報に基づいて、上記回路基板の構成成分の上記分離が生じたと判断したときには上記プラズマ中の上記イオンのエネルギーを低減させる制御を行い、上記不純物の除去が終了したと判断したときには当該表面処理を終了する制御を行い、
上記プラズマ中の上記イオンのエネルギーを低減させる制御は、上記反応室へ供給する電力を減少し、かつ上記反応室と真空ポンプとの間に設けられるバルブを閉じて、上記反応室内の圧力を上昇させることにより行う、ことを特徴とする。
【００１４】
【発明の実施の形態】
本発明の実施形態である基板表面処理装置、及び該基板表面処理装置にて実行される基板表面処理方法について、図を参照して以下に説明する。尚、各図において、同じ構成部分は同じ符号を付している。
第１実施形態；
図１には、第１実施形態における基板表面処理装置１０１の概略構成を示している。基板表面処理装置１０１は、大別して、反応室１１０と、プラズマ発生装置１２０と、真空度調整装置１３０、検出装置１４０と、制御装置１５０とを備える。上記反応室１１０は、基板１０９を収納し該基板１０９に対してプラズマにて表面処理を施すための部屋であり、反応ガス導入口１１１と、排気口１１２と、観測用窓１１３とを備えており、接地されている。尚、反応ガス導入口１１１には、所望のイオンを生じさせる反応ガスを該反応ガス導入口１１１を介して反応室１１０内へ供給する反応ガス供給装置１６１が接続されている。又、反応ガス供給装置１６１は、制御装置１５０にて動作制御される。
【００１５】
反応室１１０内において、反応室１１０の側壁１１０ａには、絶縁リング１６２を介して電極１２１が配設され、基板１０９を載置するように構成されている。尚、電極１２１と絶縁リング１６２との間、及び絶縁リング１６２と側壁１１０ａとの間にはＯリングが介装され、反応室１１０の真空を保つように構成し、かつ上記Ｏリングが２００℃以上に加熱されないように、側壁１１０ａ内には、例えば水にてなる冷媒を通す冷却溝１６３が設けられている。又、該冷却溝１６３には、制御装置１５０にて動作制御され本実施形態の場合、冷却水を供給する冷媒供給装置１６４が接続されている。
【００１６】
又、反応室１１０内には電極１２１に対向するとともに接地された対向電極１２２が配設されている。電極１２１には、マッチングチューナー及び高周波電力供給部を有する電力供給装置１２３にて高周波を印加するように構成されている。上記電極１２１、対向電極１２２、及び電力供給装置１２３にて、プラズマ発生装置１２０を構成し、電力供給装置１２３は、制御装置１５０にて動作制御される。真空状態で所定の反応ガスが供給された反応室１１０内にて、上記電極１２１に高周波が供給されることで、上記対向電極１２２との間でプラズマを発生させることができる。
【００１７】
上記検出装置１４０の一例として、本実施形態では、反応室１１０内のプラズマ状態を装置外部より観測する、より具体的にはプラズマの発光状態を装置外部より観測するための発光分光分析器１４１が上記観測用窓１１３に近接して設置されている。上記検出装置１４０は、詳細後述するように、上記プラズマを利用して上記基板１０９に対して施される表面処理によって、基板１０９を構成する成分が当該基板１０９から分離されたか否か、及び基板１０９の表面に付着している不純物が上記表面処理により除去されたか否かの少なくとも一方を検出する装置である。
【００１８】
上記真空度調整装置１３０は、反応室１１０に接続され反応室１１０内の真空度を調整する装置であり、反応室１１０内と外部、正確には下記の真空ポンプ１３３との遮断を行うバルブ１３１と、該バルブ１３１の開閉度をコントロールするためのバルブ開閉器１３２と、上記バルブ１３１を介して反応室１１０内を真空にする真空ポンプ１３３とを備える。該真空度調整装置１３０は、詳細後述するように、上記検出装置１４０、本実施形態では上記発光分光分析器１４１から制御装置１５０へ送出された検出情報に基づいて制御装置１５０が送出する制御信号にて、反応室１１０内の真空度を調整する。具体的には、バルブ開閉器１３２に上記制御信号が供給され、該制御信号に応じた開度にバルブ１３１を設定し、反応室１１０内の真空度の調整を行う。
【００１９】
以上のように構成された基板表面処理装置１０１における動作、つまり基板表面処理方法について、以下に説明する。尚、該基板表面処理方法に関する制御は、制御装置１５０にて実行される。又、電極１２１上には、基板１０９が既に載置されている状態とする。
反応室１１０内を真空ポンプ１３３にて排気しながら、反応ガス供給装置１６１により、反応ガス導入口１１１からアルゴンガスを５０ＳＣＣＭ流しながら、反応室１１０内の真空度を３０Ｐａに保った状態で、電力供給装置１２３から電極１２１に２００Ｗの高周波を印加し、反応室１１０内で電極１２１と対向電極１２２との間にプラズマを発生させる。プラズマ中にさらされた基板１０９の表面上には、プラズマ中に存在するアルゴンイオンが照射される。一方、基板１０９に形成され、図４を参照して説明したものと同様に構成されている、金にてなる電極１０の表面には、従来技術説明にて述べたように熱工程等を経ることで水酸化ニッケル等が析出しているが、上記アルゴンイオン照射によるスパッタ作用にて水酸化ニッケル等は除去される。よって、金にてなる電極１０の表面は清浄化される。
【００２０】
又、上記アルゴンイオン照射により、基板１０９の上記電極１０以外の表面もスパッタされるため、基板１０９の材質がガラスエポキシである場合、基板１０９を構成する成分の一つであるＢｒ（臭素）もスパッタされ、該Ｂｒが反応室１１０中に放出され、基板１０９の表面に再付着することも懸念される。
しかしながら本実施形態では、発光分光分析器１４１で観測用窓１１３を通して反応室１１０内のプラズマ状態を常時監視している。よって、Ｂｒの発光スペクトルが観測された時点で、発光分光分析器１４１は、制御装置１５０に信号を送り、制御装置１５０により電力供給装置１２３及びバルブ開閉器１３２を制御して、Ｂｒがスパッタされないように、上記プラズマ中のアルゴンイオンのエネルギーを低減させるように調整する。具体的には、制御装置１５０は、電力供給装置１２３から電極１２１へ供給する電力を下げ、かつバルブ１３１を閉じる方向に駆動して反応室１１０内の圧力を高くするように制御する。上記電力を下げることにより、上記アルゴンイオンのエネルギーが低下し、スパッタ性を低下させることができる。又、上記圧力を高くすることにより、反応室１１０内の気体分子とアルゴンイオンとの衝突確率が増加し、結果としてアルゴンイオンのエネルギーが低下しスパッタ性を減少させることができる。したがって、基板１０９内に含有されたＢｒをスパッタすることなく、基板１０９の電極１０上に析出した水酸化ニッケルだけをアルゴンイオンの照射によりスパッタ作用で除去することができる。
【００２１】
尚、上述のようにアルゴンエネルギーを低下させることで、水酸化ニッケルのスパッタ性も低下する。しかしながら、水酸化ニッケルは、上述のように電極１０の表面に析出しており、アルゴンイオンの照射により優先的にスパッタされる。一方、Ｂｒは、基板１０９内に含まれるため、スパッタされる量は相対的に少ない。つまり、上述した一連の動作は、基板１０９よりＢｒが放出される前に、できるだけ水酸化ニッケルを除去してしまうという考えに基づくものである。
【００２２】
このように基板１０９の金電極１０の表面から水酸化ニッケルを除去できるので、該金電極１０にワイヤボンディングを行う際、金電極１０とワイヤとのボンディング強度を向上させることができる。
【００２３】
以上のように本実施形態によれば、ガラスエポキシにてなる基板１０９をアルゴンプラズマで処理するときに、発光分光分析器１４１で観測用窓１１３を通して反応室１１０内のプラズマ状態を常時監視し、Ｂｒの発光スペクトルが観測された段階で、制御装置１５０にて電力供給装置１２３及びバルブ開閉器１３２を制御して、Ｂｒがスパッタされないように調整する。したがって、基板１０９の構成成分のＢｒを飛散させることなく、基板１０９の金電極１０上に析出した水酸化ニッケルのみをアルゴンイオンの照射により除去することができる。その結果、スパッタされたＢｒが基板６に再付着するという現象は生じず、よって、電極１０にＢｒが付着した基板６が大気中にさらされることで、Ｂｒと空気中の水分とが反応して、ＨＯＢｒやＨＢｒになり、これが電極１０を腐食させるという問題点を発生させることもない。即ち、基板１０９の電極１０の腐食を防止することができる。
【００２４】
尚、本実施形態では、上述のように、Ｂｒの発光スペクトルが観測された段階で、制御装置１５０は、電力供給装置１２３及びバルブ開閉器１３２の両者を制御しているが、これに限定されない。即ち、上述の説明から明らかとなるように、電力供給装置１２３及びバルブ開閉器１３２の少なくとも一方を制御することで、上述の効果を奏することができる。
【００２５】
上述の説明では、基板１０９は、ガラスエポキシにてなる場合であった。以下には、ポリイミドフィルムにてなる基板１０９の場合を説明する。
従来技術説明でも述べたように、ポリイミドフィルムにてなる基板１０９の場合、基板１０９の表面には、不純物の一例として、基板製造時の洗浄不足により塩素イオンが残留している場合がある。そこで、該塩素イオンを除去するため、反応ガス供給装置１６１により反応ガス導入口１１１を通して酸素ガスを５０ＳＣＣＭで、反応室１１０内へ流しながら、反応室１１０内の真空度を３０Ｐａに保った状態で、電極１２１に２００Ｗの高周波を印加し、プラズマを発生させる。プラズマ中にさらされた基板１０９の表面上には、プラズマ中に存在する酸素イオンが照射される。よって、該酸素イオンにより、基板１０９の表面上の残留塩素イオンがスパッタされて除去される。
【００２６】
一方、反応室１１０内のプラズマ状態を発光分光分析器１４１で観測用窓１１３を通して常時監視し、発光分光分析器１４１は、塩素の発光スペクトルを観測する。そして、不純物の除去が終了した時点、つまり本例では塩素の発光スペクトルがなくなった段階、若しくは実質的に問題が生じない程度まで塩素の発光スペクトルが減少した段階で、発光分光分析器１４１は、制御装置１５０に信号を送り、制御装置１５０は、電力供給装置１２３、バルブ開閉器１３２、及び反応ガス供給装置１６１を制御して、プラズマ処理を停止する。
【００２７】
このように、ポリイミドフィルムにてなる基板１０９に残留している塩素イオンを除去できることから、塩素イオンが残留した状態でＡＣＦを用いてＩＣを接続した場合に生じる、残留イオンによる腐食、イオンマイグレーションなどの電気的不良という問題の発生を防止することができる。
さらに、発光分光分析器１４１にて塩素の発光スペクトルを観測し、不純物としての塩素が除去された段階で、基板１０９へのプラズマ処理を停止するようにしたことで、酸素イオンが基板１０９に与える影響を最小限に止めながら、基板１０９に残留する塩素イオンを除去することができる。又、同時に、基板１０９の材質はポリイミドからなるため、従来技術説明でも述べたように、酸素ラジカル及び酸素イオンによって、ポリイミド表面の有機汚染物も除去され、かつ表面にＣ＝ＯやＣＯＯＨなどの官能基ができ、基板１０９の表面が活性化される。よってＡＣＦとの接合強度を向上させることもできる。
【００２８】
第２実施形態；
上述の基板表面処理装置１０１では、図１に示すように、上記検出装置１４０として上記発光分光分析器１４１を用いた構成を例に採っている。しかしながら検出装置１４０としては発光分光分析器１４１に限定されるものではなく、図２を参照して以下に説明するように、質量分析器１４２を用いることもできる。
図２に示す基板表面処理装置１０２は、上述した基板表面処理装置１０１に備わる発光分光分析器１４１に代えて、上記質量分析器１４２を設けた構成にてなる。よって、基板表面処理装置１０２において、基板表面処理装置１０１と同じ構成部分については同じ符号を付してその説明を省略し、以下では相異する構成部分のみについて説明を行う。
【００２９】
基板表面処理装置１０２では上述のように発光分光分析器１４１は設けないことから、反応室１１０には、上記観測用窓１１３は設けていない。一方、反応室１１０からバルブ１３１へ通じる排気口１１２には、該排気口１１２部分、つまり反応室１１０内に存在する複数の気体元素を分析する質量分析器１４２が取り付けられている。該質量分析器１４２は、制御装置１５０に接続されている。
【００３０】
このように構成される基板表面処理装置１０２における動作、つまり基板表面処理方法について以下に説明する。尚、基板表面処理装置１０１における上述した基板表面処理方法と、当該基板表面処理装置１０２における基板表面処理方法とを比較すると、反応室１１０内の検出対象物質の検出方法が異なるのみであり、当該基板表面処理装置１０２における動作及び得られる効果は、基本的に上述の基板表面処理装置１０１における動作及び効果に同じである。よって、以下では、上記検出対象物質の検出動作について、主に説明し、その他の説明は省略若しくは略説する。
【００３１】
基板１０９として、ガラスエポキシ材からなる基板の場合、反応室１１０内を真空ポンプ１３３にて排気しながら、反応ガス導入口１１１から反応室１１０内へアルゴンガスを５０ＳＣＣＭで流しながら、反応室１１０内の真空度を３０Ｐａに保った状態で、電極１２１に２００Ｗの高周波を印加し、プラズマを発生させる。よって、基板表面処理装置１０１の場合と同様に、プラズマ中にあるアルゴンイオンが基板１０９の表面に照射され、金電極１０の表面に析出した水酸化ニッケル等がスパッタ作用で除去される。一方、反応室１１０内が規定の真空度に達したときから、又はプラズマが発生したときから、質量分析器１４２で反応室１１０内に存在する複数の気体種類を常時監視し、ガラスエポキシ材からなる基板１０９から分離され反応室１１０内へ放出されるＢｒの元素が観測されたとき、質量分析器１４２は制御装置１５０に信号を送出する。該信号供給に基づき制御装置１５０は、電力供給装置１２３及びバルブ開閉器１３２を制御して、Ｂｒのスパッタを防止する。したがって、基板１０９の構成成分のＢｒを飛散させることなく、基板１０９の金電極１０上に析出した水酸化ニッケルのみをアルゴンイオンの照射により除去することができる。その結果、Ｂｒに起因する上記電極１０の腐食を防止することができる。
尚、質量分析器１４２にてＢｒを検出した時点で、制御装置１５０は、電力供給装置１２３及びバルブ開閉器１３２の両者を制御しているが、これに限定されず、電力供給装置１２３及びバルブ開閉器１３２の少なくとも一方を制御することで、上述の効果を奏することができる。
【００３２】
さらに又、基板１０９がポリイミドフィルムにてなる場合、残留している塩素イオンを除去するため、反応室１１０内を真空ポンプ１３３にて排気しながら、酸素ガスを５０ＳＣＣＭで、反応室１１０内へ流し、反応室１１０内の真空度を３０Ｐａに保った状態で、電極１２１に２００Ｗの高周波を印加し、プラズマを発生させる。プラズマ中にさらされた基板１０９の表面上には、プラズマ中に存在する酸素イオンが照射され、基板１０９の表面上の残留塩素イオンが除去される。
又、反応室１１０内に存在する気体を、上記質量分析器１４２にて常時監視し、不純物の除去が終了した時点、つまり本例では塩素が検出されなくなった時点、若しくは支障ない程度まで塩素濃度が低下した時点で、質量分析器１４２は、制御装置１５０に信号を送る。該信号供給に基づき制御装置１５０は、電力供給装置１２３、バルブ開閉器１３２、及び反応ガス供給装置１６１を制御して、プラズマ処理を停止する。
【００３３】
このように、ポリイミドフィルムにてなる基板１０９に残留している塩素イオンを除去できることから、塩素イオンが残留した状態でＡＣＦを用いてＩＣを接続した場合に生じる、残留イオンによる腐食、イオンマイグレーションなどの電気的不良という問題の発生を防止することができる。又、上述のように塩素の除去が終了した時点で、基板１０９へのプラズマ処理を停止するようにしたことで、酸素イオンが基板１０９に与える影響を最小限に止めながら、基板１０９に残留する塩素イオンを除去することができる。又、同時に、基板１０９の材質はポリイミドからなるため、従来技術説明でも述べたように、酸素ラジカル及び酸素イオンによって、ポリイミド表面の有機汚染物も除去され、かつ表面にＣ＝ＯやＣＯＯＨなどの官能基ができ、上記ＡＣＦとの接合強度も向上する。
【００３４】
上述した各実施形態において、基板１０９からの放出を制御する基板１０９内の元素をＢｒとしたが、他の腐食性元素についても実施形態の基板表面処理装置１０１、１０２は適用可能である。同様に、基板１０９に付着した元素を塩素としたが、他の元素でもについても実施形態の基板表面処理装置１０１、１０２は適用可能である。
【００３５】
又、上述の各実施形態では、基板１０９内の元素Ｂｒの放出を抑えること、及び基板１０９に付着した塩素を除去することを個別に説明したが、勿論、上記発光分光分析器１４１及び質量分析器１４２等の検出装置１４０にて、複数の元素の検出を行い、基板構成成分の放出抑制、及び基板の不純物の除去の各動作を同時に実行してもよい。
【００３６】
又、上述の各実施形態では、反応室１１０へ注入する反応ガスをアルゴン及び酸素としたが、これに限定されるものではなく、例えば、アルゴンと酸素との混合ガス、水素、窒素ガスなども使用可能であり、特にガスの種類を限定するものではない。但し、表面処理の対象となる物質に有効なイオン等を発生させる必要があることから、上記処理対象物質との関係で反応ガスを選択する場合はある。
【００３７】
又、上述の各実施形態では、反応室１１０内に、接地された対向電極１２２を配設したが、場合によっては接地された反応室１１０自体を対向電極として機能させ、対向電極１２２を省略する構成を採ることも可能である。
【００３８】
【発明の効果】
以上詳述したように本発明の第１態様の基板表面処理装置、及び第２態様の基板表面処理方法によれば、検出装置及び制御装置を備え、基板を構成する成分の分離が検出されたときには、プラズマ中のイオンのエネルギを低減させる制御を行い、基板に付着している不純物の除去終了を検出したときには、基板に対する表面処理を終了するように制御するようにした。このような構成により、基板構成成分が基板から分離され飛散することを防止でき、分離された基板構成成分が基板に再付着し、該再付着により基板が腐食するのを防止することができ、又、不純物の除去が終了したときには、基板に対して過剰に上記イオンが照射されることを防止でき基板へのダメージを低減することができる。
このように、本発明の第１態様及び第２態様によれば、基板に対する過剰なプラズマ処理を防止して基板の品質を維持することができる。
【００３９】
プラズマ発生装置及び真空度調整装置をさらに備えることで、上記検出装置による検出情報に基づいて上記制御装置は、プラズマ発生装置に備わる電力供給装置及び真空度調整装置を制御可能である。つまり、上記電力供給装置の制御により、プラズマ発生装置に備わる電極へ供給する電力を下げ、プラズマ中のイオンのエネルギーを低下させることができ、スパッタ性を低下させることができる。又、真空度調整装置にて反応室内の圧力を高くすることにより、反応室内の気体分子と上記イオンとの衝突確率が増加し、結果的に上記イオンのエネルギーを低下させることができる。さらには、例えば上記電力供給を停止することで、プラズマ処理を停止することができる。
【００４０】
上記検出装置として分光分析器を用いることで、反応室の外部に検出装置を設置することができ、基板表面処理装置の全体構成を簡素化することができる。
又、上記検出装置として質量分析器を用いることで、上記分光分析器に比べてより高精度にて基板構成成分及び不純物の検出を行うことができる。よって、基板の品質維持をより高水準で実行可能となる。
【図面の簡単な説明】
【図１】  本発明の第１実施形態である基板表面処理装置の概略構成を示す図である。
【図２】  本発明の第２実施形態である基板表面処理装置の概略構成を示す図である。
【図３】  従来の基板表面処理装置の概賂構成を示す図である。
【図４】  基板電極の構成を示す図である。
【図５】  フィルム基板へのＡＣＦを介した場合のＩＣチップ接合の概略を説明するための図である。
【符号の説明】
１０１、１０２…基板表面処理装置、１０９…基板、１１０…反応室、
１２０…プラズマ発生装置、１２１…電極、１２２…対向電極、
１２３…電力供給装置、１３０…真空度調整装置、
１４０…検出装置、１４１…分光分析器、１４２…質量分析器、
１５０…制御装置。
【図１】
0004460803.tif 000002
【図２】
0004460803.tif 000003
【図３】
0004460803.tif 000004
【図４】
0004460803.tif 000005
【図５】
0004460803.tif 000006